(57)【要約】【課題】複数の異なるコンバータを装着することができるアダプターリングを提供する。【解決手段】カメラ３にコンバータ４Ａ，４Ｂを取り付けるためのアダプターリング１であって、コンバータ取付側における光軸Ｃ方向の異なる位置に、複数の当接面２０，２１を備えることを特徴とするアダプターリング１を提供する。【選択図】図２
2008197263.tif 000002
【特許請求の範囲】
【請求項１】
カメラにコンバータを取り付けるためのアダプターリングであって、
コンバータ取付側における光軸方向の異なる位置に、複数の当接面を備えたことを特徴とするアダプターリング。
【請求項２】
請求項１に記載のアダプターリングであって、
前記コンバータが、アダプターリング取付側に被当接面を備え、前記カメラの撮像面と前記被当接面との間において保つべき距離が、コンバータの種類によって異なる固有の距離であり、
前記アダプターリングを前記カメラに取り付けたときに、前記カメラの撮像面と前記アダプターリングの前記複数の当接面のうちの１の当接面との距離が、１の種類のコンバータにおける前記固有の距離と略同一であり、
前記カメラに取り付けられた前記アダプターリングに前記１の種類のコンバータを取り付けたときに、前記アダプターリングの前記１の当接面と前記１の種類のコンバータの被当接面とが当接し、前記被当接面が前記カメラの撮像面から前記固有の距離だけ離れて配置されることを特徴とするアダプターリング。
【請求項３】
請求項１又は２に記載のアダプターリングであって、
前記複数の当接面のうちの少なくとも一部が、光軸に対して垂直且つ該光軸を中心とした円環状に形成されていることを特徴とするアダプターリング。
【請求項４】
請求項１又は２に記載のアダプターリングであって、
前記複数の当接面のうちの少なくとも一部が、光軸を中心とした円周上の複数個所に設けられた突起部により形成されていることを特徴とするアダプターリング。
【請求項５】
請求項１〜４のいずれか１項に記載のアダプターリングであって、
前記当接面が、前記アダプターリングの内径側から外径側に向かって段階的に前記コンバータ側に突き出していることを特徴とするアダプターリング。
【請求項６】
請求項１〜５のいずれか１項に記載のアダプターリングであって、
前記アダプターリングの前記コンバータ取付側に、更に係合部が設けられ、
前記コンバータのアダプターリング取付側には、前記係合部と係合する係合受部が設けられ、
前記係合部と前記係合受部とを係合させることにより、前記コンバータを前記アダプターリングに取り付けることを特徴とするアダプターリング。
【請求項７】
請求項６に記載のアダプターリングであって、
前記係合部が第１のネジ部であって、前記係合受部が前記第１のネジ部と螺合する第２のネジ部であることを特徴とするアダプターリング。
【請求項８】
コンバータ取付側における光軸方向の異なる位置に、コンバータ取付用の複数の当接面を備えることを特徴とするカメラ。
【発明の詳細な説明】
【技術分野】
【０００１】
本発明は、カメラに取り付けられるアダプターリング、及びカメラに関する。
【背景技術】
【０００２】
従来、カメラに装着して、レンズ鏡筒の前にコンバータを配置するアダプターリングが提案されている（例えば、特許文献１参照）。
【特許文献１】特開２０００−３３０１７９号公報
【発明の開示】
【発明が解決しようとする課題】
【０００３】
しかし、コンバータは、カメラの撮像面に対してコンバータの種類によって異なる光学設計上固有の位置に配置する必要があり、従来の技術では、コンバータごとに専用のアダプターリングが必要であった。
【０００４】
本発明は、複数の異なるコンバータを装着することができるアダプターリングを提供することを目的とする。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
請求項１に記載の発明は、カメラ（３）にコンバータ（４Ａ，４Ｂ）を取り付けるためのアダプターリング（１，２０１）であって、コンバータ取付側における光軸（Ｃ）方向の異なる位置に、複数の当接面（２０，２１，２２０，２２１）を備えたことを特徴とするアダプターリング（１，２０１）である。
請求項２に記載の発明は、請求項１に記載のアダプターリング（１，２０１）であって、前記コンバータ（４Ａ，４Ｂ）が、アダプターリング取付側に被当接面（４３，１４３）を備え、前記カメラ（３）の撮像面（３８）と前記被当接面（４３，１４３）との間において保つべき距離が、コンバータ（４Ａ，４Ｂ）の種類によって異なる固有の距離であり、前記アダプターリング（１，２０１）を前記カメラ（３）に取り付けたときに、前記カメラ（３）の撮像面（３８）と前記アダプターリング（１，２０１）の前記複数の当接面（２０，２１，２２０，２２１）のうちの１の当接面（２０，２１，２２０，２２１）との距離（Ｌ１，Ｌ２）が、１の種類のコンバータ（４Ａ，４Ｂ）における前記固有の距離と略同一であり、前記カメラ（３）に取り付けられた前記アダプターリング（１，２０１）に前記１の種類のコンバータ（４Ａ，４Ｂ）を取り付けたときに、前記アダプターリング（１，２０１）の前記１の当接面（２０，２１，２２０，２２１）と前記１の種類のコンバータ（４Ａ，４Ｂ）の被当接面（４３，１４３）とが当接し、前記被当接面（４３，１４３）が前記カメラ（３）の撮像面（３８）から前記固有の距離だけ離れて配置されることを特徴とするアダプターリング（１，２０１）である。
請求項３に記載の発明は、請求項１又は２に記載のアダプターリング（１）であって、前記複数の当接面（２０，２１，２２０，２２１）の少なくとも一部（２０，２１，２２０）が、光軸（Ｃ）に対して垂直且つ該光軸（Ｃ）を中心とした円環状に形成されていることを特徴とするアダプターリング（１）である。
請求項４に記載の発明は、請求項１又は２に記載のアダプターリング（１）であって、前記複数の当接面（２０，２１，２２０，２２１）のうちの少なくとも一部（２２１）が、光軸（Ｃ）を中心とした円周上の複数個所に設けられた突起部（２１８）により形成されていることを特徴とするアダプターリング（１）である。
請求項５に記載の発明は、請求項１〜４のいずれか１項に記載のアダプターリング（１，２０１）であって、前記当接面（２０，２１，２２０，２２１）を複数備え、複数の該当接面（２０，２１，２２０，２２１）が前記アダプターリング（１，２０１）の内径側から外径側に向かって段階的に前記コンバータ（４Ａ，４Ｂ）側に突き出していることを特徴とするアダプターリング（１，２０１）である。
請求項６に記載の発明は、請求項１〜５のいずれか１項に記載のアダプターリング（１，２０１）であって、前記アダプターリング（１）の前記コンバータ取付側に、更に係合部（２２，２２２）が設けられ、前記コンバータ（４Ａ，４Ｂ）のアダプターリング取付側には、前記係合部（２２，２２２）と係合する係合受部（４８，１４８）が設けられ、前記係合部（２２，２２２）と前記係合受部（４８，１４８）とを係合させることにより、前記コンバータ（４Ａ，４Ｂ）を前記アダプターリング（１，２０１）に取り付けることを特徴とするアダプターリング（１，２０１）である。
請求項７に記載の発明は、前記係合部が第１のネジ部（２２，２２２）であって、前記係合受部が前記第１のネジ部（２２，２２２）と螺合する第２のネジ部（４８，１４８）であることを特徴とするアダプターリング（１，２０１）である。
請求項８に記載の発明は、コンバータ（４Ａ，４Ｂ）取付側における光軸（Ｃ）方向の異なる位置に、コンバータ（４Ａ，４Ｂ）取付用の複数の当接面（３２０，３２１）を備えることを特徴とするカメラ（３０３）である。
なお、符号を付して説明した構成は、適宜改良してもよく、また、少なくとも一部を他の構成物に代替してもよい。
【発明の効果】
【０００７】
本発明のアダプターリングによると、１つのアダプターリングで複数の異なるコンバータを取り付けることができる。
【発明を実施するための最良の形態】
【０００８】
以下、図面を参照して、本発明の実施形態について説明する。図１は本実施形態のアダプターリング１の断面図である。図２は、カメラ３に装着され、且つコンバータ４Ａが取り付けられたアダプターリング１の断面図である。
【０００９】
アダプターリング１は、図２に示すように、カメラ３のレンズ鏡筒３１の外側に装着され、カメラ３とコンバータ４Ａとを接続する筒状体である。図１及び図２に示すように、アダプターリング１は、カメラ３のレンズ鏡筒３１の外側に装着された場合に、カメラボディ側となる第１の筒状部１１と、第１の筒状部１１から光軸に沿ってコンバータ側に径を縮小しつつ延びる傾斜部１２と、傾斜部１２より更に光軸に沿ってコンバータ側に延び且つ第１の筒状部１１より径の小さい第２の筒状部１３と、第２の筒状部１３のコンバータ側端部に配置され、第２の筒状部１３と外径が等しく且つ内径が第２の筒状部１３より小さな円環部１４と、を備える。すなわち、円環部１４は第２の筒状部１３よりも内径側に延びた円環形状である。また、第１の筒状部１１のカメラボディ側端面１１ｂの内面には、ネジ部１１ａが設けられている。
【００１０】
図３はアダプターリング１のコンバータ側端部を示した斜視図である。図１及び図３に示すように円環部１４の端面１７は、アダプターリング１をカメラ３に装着した場合の光軸Ｃとなる中心軸Ｃ’に対して略垂直に配置されている。端面１７には、幅方向の中央部を円周に沿って延び且つ断面が略矩形の突起部１８が形成されている。そして、円環状の端面１７の内縁１７ａから突起部１８の内縁１８ａまでの間の領域は、円環状の第１の当接面２０を形成している。また、突起部１８の頂部１８ｂは、円環状の第２の当接面２１を形成している。更に、円環部１４の内周面には、リング側ネジ部２２が設けられている。
【００１１】
次に、アダプターリング１が装着されるカメラ３について説明する。図２に示すように、本実施形態のアダプターリング１が装着されるカメラ３は、例えば、レンズ非交換式のデジタルスチルカメラ（以下、単に「カメラ」という）であり、非撮影時にその一部がカメラボディ３２内に収納される沈胴式のレンズ鏡筒３１を備える。
【００１２】
カメラ３のレンズ鏡筒３１は、カメラボディ３２側から、カメラボディ３２に対して固定された第１の筒体３４と、第１の筒体３４と同様にカメラボディ３２に対して固定され且つ第１の筒体３４の内径側に挿入された第２の筒体３５と、第２の筒体３５の内径側に挿入された第３の筒体３６と、第３の筒体３６の内径側に挿入され且つレンズ鏡筒３１が繰り出した状態において最も対物側に配置される第４の筒体３７と、を備える。
【００１３】
第２の筒体３５の外周には、上述したアダプターリング１の第１の筒状部１１のネジ１５と螺合するネジ部３５ａが設けられている。そして、そのネジ部３５ａにアダプターリング１のネジ部１１ａを螺合させて、アダプターリング１のカメラボディ側端面１１ｂを第１の筒体３４のコンバータ側端面３４ｂに当て付けることにより、アダプターリング１をカメラボディ３２に対して所定の位置に固定することができるようになっている。
【００１４】
また、カメラ３は内部にＣＣＤ（Ｃｈａｒｇｅ−Ｃｏｕｐｌｅｄ  Ｄｅｖｉｃｅ）の撮像面３８を備えており、アダプターリング１がカメラ３に装着されたときに、撮像面３８からアダプターリング１の第１の当接面２０までの距離はＬ１であり、撮像面３８からアダプターリング１の第２の当接面２１までの距離は、突起部１８の光軸Ｃに沿った幅ｄ（図１に図示）だけＬ１よりも大きいＬ２である。
【００１５】
次に、アダプターリング１に取り付け可能なコンバータ４Ａのうちの１のコンバータ４Ａについて説明する。コンバータ４Ａは、本実施形態においては、レンズ鏡筒３１の先に取り付けるフロントコンバータであり、例えば、広角側の撮影が可能となるワイドコンバータや、望遠側の撮影が可能となるテレコンバータである。
【００１６】
コンバータ４Ａは、図２に示すように、内部にレンズ４１が固定された筒状部４２を有する。図４は図２における円で囲った部分Ａの拡大図である。図４に示すように、コンバータ４Ａのアダプターリング側端部には、光軸Ｃに対して略垂直に配置され、アダプターリング１の第１の当接面２０と当接する被当接面４３が設けられている。この被当接面４３の外縁４３ａで構成される円の径は、アダプターリング１の突起部１８の内縁１８ａで構成される円の径より小さい。また、被当接面４３と図２で示すカメラボディ３２内におけるカメラ３の撮像面３８との間の保つべき距離は、コンバータ４Ａの固有の距離であり、図２で示す撮像面３８からアダプターリング１の第１の当接面までの距離Ｌ１と略同一である。
【００１７】
コンバータ４Ａの被当接面４３の内縁４３ｂからは、円周に沿ってアダプターリング側に延在部４５が延びている。延在部４５の外周は、上述したアダプターリング１における円環部１４の内周面に設けられたリング側ネジ部２２と螺合するコンバータ側ネジ部４８が設けられている。そして、延在部４５をアダプターリング１の円環部１４に挿入してコンバータ側ネジ部４８とリング側ネジ部２２とを螺合させることにより、コンバータ４Ａをアダプターリング１に取り付けることができるようになっている。
【００１８】
次に、本実施形態のアダプターリング１の使用方法について説明する。図２に示すように、アダプターリング１のネジ部１１ａを、レンズ鏡筒３１の第２の筒体３５のネジ部３５ａに対して、アダプターリング１のカメラボディ側端面１１ｂがレンズ鏡筒３１の第１の筒体３４のコンバータ側端面３４ｂに当て付くまでねじ込んで、アダプターリング１をカメラボディ３２に対して所定の位置に固定する。
【００１９】
そして、図４に、より詳細に図示するように、アダプターリング１のリング側ネジ部２２にコンバータ４Ａのコンバータ側ネジ部４８を螺合させる。コンバータ４Ａの被当接面４３の外縁４３ａで構成される円の径は、アダプターリング１の突起部１８の内縁１８ａで構成される円の径より小さいため、アダプターリング１の端面１７のうちの内縁１７ａから突起部１８の内縁１８ａまでの間の円環状の領域である第１の当接面２０が、コンバータ４Ａの被当接面４３に当て付けられる。これにより、コンバータ４Ａの被当接面４３は、光軸Ｃに沿って第１の当接面２０と略同一の位置にくる。コンバータ４Ａにおける、図２に示すカメラ３の撮像面３８と被当接面４３との間の保つべき固有の距離は、アダプターリング１を装着した場合における、カメラ３の撮像面３８と第１の当接面２０との間の距離Ｌ１と同一であるので、コンバータ４Ａの被当接面４３は、コンバータ４Ａの固有の距離Ｌ１に配置されることができる。
【００２０】
次に、コンバータ４Ａとコンバータ側ネジ部１４８の外径が同一で、被当接面１４３の外径がアダプターリング１の突起部１８の内径より大きなコンバータ４Ｂをアダプターリング１に取り付ける場合について説明する。図５は、コンバータ４Ｂをアダプターリング１に取り付けた場合の図２において円で囲った部分Ａと同様な部分の拡大図である。コンバータ４Ｂにおける、図２に示すカメラ３の撮像面３８と被当接面１４３との間の保つべき固有の距離は、アダプターリング１を装着した場合における、カメラ３の撮像面３８と第２の当接面２１との間の距離Ｌ２と同一である。なお、コンバータ４Ｂのその他の部分はコンバータ４Ａと同一であるので説明を省略する。
【００２１】
まず、上述したコンバータ４Ａの場合と同様に、アダプターリング１をカメラボディ３２に対して所定の位置に固定する。次に、アダプターリング１のリング側ネジ部２２にコンバータ４Ｂのコンバータ側ネジ部１４８を螺合させる。コンバータ４Ｂの被当接面１４３の外縁１４３ａで構成される円の外径は、アダプターリング１の突起部１８の内縁１８ａにより構成される円の内径より大きいため、突起部１８のコンバータ４Ｂ側に面する頂部１８ｂにより構成される第２の当接面２１が、コンバータ４Ｂの被当接面１４３に当て付けられる。これにより、コンバータ４Ｂの被当接面１４３の位置は第２の当接面２１と光軸Ｃに沿った略同一の位置となる。コンバータ４Ｂにおける、図２に示すカメラ３の撮像面３８と被当接面１４３との間の保つべき距離は、アダプターリング１を装着した場合における、カメラ３の撮像面３８と第２の当接面２１との間の距離Ｌ２と同一であるので、コンバータ４Ｂの被当接面１４３を、コンバータ４Ｂの固有の位置に配置することができる。
【００２２】
以上、本実施形態によると、以下の効果を有する。
（１）光軸Ｃに対して垂直且つ該光軸Ｃを中心とした円環状に第１の当接面２０及び第２の当接面２１が設けられ、それらの当接面２０，２１が、アダプターリング１の内径側から外径側に向かってコンバータ側に突き出していく階段状に配置されている。このため、コンバータ側ネジ部４８，１４８の外径が同一で、被当接面４３，１４３の外径及び固有の距離が異なる複数の種類のコンバータ４Ａ，４Ｂを、１つのアダプターリング１によりカメラ３に取り付けることができる。
（２）アダプターリング１のコンバータ取付側にリング側ネジ部２２が設けられ、コンバータ４Ａ，４Ｂのアダプターリング取付側には、リング側ネジ部２２と係合するコンバータ側ネジ部４８，１４８が設けられており、リング側ネジ部２２とコンバータ側ネジ部４８，１４８とを螺合させることにより、コンバータ４Ａ，４Ｂをアダプターリング１に容易に取り付けることができる。
【００２３】
（変形形態）
以上、説明した実施形態に限定されることなく、種々の変形や変更が可能であって、それらも本発明の範囲内である。
（１）本実施形態では、第１の当接面２０と第２の当接面２１を光軸Ｃに対して垂直且つ該光軸Ｃを中心とした円環状に設けた。しかし、これに限らず、例えば、図６に示すように、光軸Ｃを中心とした円周上に複数（図６において３箇所）の突起部２１８を設け、その複数の頂部２１８ｂより第２の当接面２２１を形成してもよい。
（２）また、本実施形態ではアダプターリング１をカメラ３と別部材としたが、これに限定されず、例えば、図７に示すようにカメラボディ３３２とアダプターリングとを一体型に形成してもよい。このカメラ３０３において複数の当接面３２０，３２１は、図に示すようにカメラボディ３３２から延びるアダプターリング部３０１に設けられる。
（３）本実施形態では、デジタルスチルカメラ３にアダプターリング１を取り付ける例について説明したが、これに限定されず、アダプターリング１は、フィルム用カメラやビデオカメラに取り付けるアダプターリング１であってもよい。
（４）本実施形態では、アダプターリング１をカメラ３のレンズ鏡筒３１にネジ式で取り付けたが、これに限定されず、アダプターリング１は、カメラ３に対してバヨネット形式により結合されてもよい。
（５）また、アダプターリング１とコンバータ４Ａ，４Ｂとの結合方式をネジ式としたが、これに限定されず、アダプターリング１とコンバータ４Ａとの間の当接面の位置を調節可能であれば、例えば、バヨネット式等の他の様式であってもよい。
【図面の簡単な説明】
【００２４】
【図１】実施形態のアダプターリングの断面図である。
【図２】カメラに装着され、且つコンバータが取り付けられたアダプターリングの状態を示した図である。
【図３】アダプターリングのコンバータ側の端部を示した斜視図である。
【図４】１のコンバータを取り付けた場合の図２における円で囲った部分の拡大図である。
【図５】図４で示すコンバータと異なるコンバータをアダプターリングに取り付けた場合の図２における円で囲った部分と同様な部分の拡大図である。
【図６】変形例におけるアダプターリングのコンバータ側の端部を示した斜視図である。
【図７】カメラボディとアダプターリングが一体的に形成されたカメラを示した図である。
【符号の説明】
【００２５】
１，２０１：アダプターリング、３，３０３：カメラ、４Ａ，４Ｂ：コンバータ、１８，２１８：突起部、２０，２２０：第１の当接面、２１，２２１：第２の当接面、２２,２２２：リング側ネジ部、３８：撮像面、４３，１４３：被当接面、４８，１４８：コンバータ側ネジ部、Ｃ：光軸
【図１】
2008197263.tif 000003
【図２】
2008197263.tif 000004
【図３】
2008197263.tif 000005
【図４】
2008197263.tif 000006
【図５】
2008197263.tif 000007
【図６】
2008197263.tif 000008
【図７】
2008197263.tif 000009